(57)【特許請求の範囲】
【請求項１】
放電空間を挟んで対向配置した表面基板および背面基板と、前記表面基板上に形成された走査電極および維持電極と、前記走査電極および維持電極と直交するように且つ一方の端部が前記放電空間の内部に位置するように前記背面基板上に形成された複数のデータ電極からなるデータ電極群と、前記データ電極のもう一方の端部をパネルの上下方向の片側に引き出して形成したデータ電極端子群と、前記データ電極群および前記データ電極端子群の外周を取り囲むように前記背面基板上に形成したダミー電極と、前記データ電極群および前記ダミー電極を覆うように形成した下地誘電体層と、前記下地誘電体層上に形成した隔壁および蛍光体とを有するプラズマディスプレイパネル。
【請求項２】
前記ダミー電極が、所定電位に接続されている請求項１記載のプラズマディスプレイパネル。
【発明の詳細な説明】
【０００１】
【発明の属する技術分野】
本発明はテレビジョン受像機および広告表示盤などの画像表示に用いるプラズマディスプレイパネルに関するものである。
【０００２】
【従来の技術】
プラズマディスプレイパネルには、種々の構造のものがある。その具体的な従来のプラズマディスプレイパネル（以下、パネルという）として、ＡＣ型プラズマディスプレイパネルを図６〜図９に示す。図７は図６における非表示領域と端子部のエリアＢの詳細を示す。
【０００３】
このパネルは、フリットシール２により表面基板３と背面基板４を封着し、背面基板４の上に形成された隔壁１７により放電空間１４が保たれ、その放電空間中には、ヘリウム、ネオン、アルゴンの少なくとも一種類の希ガスとキセノンとの混合ガスが封入されている。
【０００４】
ガラス等の透明材料である前記表面基板３の上には、走査電極５と維持電極６との電極群を平行配列し、それぞれの電極群は、パネルの左右に引き出され、走査電極端子群５Ａと維持電極端子群６Ａを形成し、走査電極駆動回路７と維持電極駆動回路８に接続される。
【０００５】
前記背面基板４上には、前記走査電極５および維持電極６と直交してストライプ状のデータ電極９からなるデータ電極群９Ａが配列され、そのデータ電極群９Ａは、パネルの上下に引き出され、上側のデータ電極端子群１０Ａからデータ電極駆動回路１１に接続されている。また、データ電極駆動回路１１と接続されない下側のデータ電極端子群１０Ｂは、絶縁と防湿のため樹脂１２で封止されている。
【０００６】
さらに詳しく説明すると、図７に示すように放電空間１４を挟んで対向配置した表面基板３および背面基板４の内、ガラス等の透明材料である表面基板３の内側には、誘電体層１５および保護膜層１６で覆われた対をなすストライプ状の前記走査電極５と維持電極６との電極群が平行に配列されている。
【０００７】
背面基板４の内側には、前記走査電極５および維持電極６と直交したストライプ状のデータ電極９と隔離し且つ前記放電空間１４を形成するように、ストライプ状の隔壁１７が一定間隔で平行に配列されている。
【０００８】
背面基板４の表面で前記隔壁１７で仕切られた区間には、青色、緑色または赤色に発光する蛍光体１９からなる蛍光体群が設けられ、その下層に図８と図９に示すように前記データ電極９のデータ電極群が付設されており、このデータ電極９は下地誘電体層１８に覆われている。
【０００９】
書き込み動作において、データ電極９に正の書き込みパルス電圧Ｖｄを印加し、走査電極５に負の走査パルス電圧Ｖｓｃを印加すると、放電空間１４内で書き込み放電が起こり、走査電極５上の保護膜層１６の表面に正の電荷が蓄積される。この後、維持動作の最初において、維持電極６に負の維持パルスを印加し、走査電極５と維持電極６に負の維持パルス電圧Ｖｓを交互に印加することによって、維持放電が持続される。最後に維持電極６に負の消去パルス電圧Ｖｅを印加することによりこの維持放電が停止される。
【００１０】
このとき、パネルの表示領域部１３とフリットシール２の間には、図７に示すように表示に関与しない非表示領域２０が存在している。この非表示領域２０には、放電空間１４と同様に、ヘリウム、ネオン、アルゴンの少なくとも一種類の希ガスとキセノンとの混合ガスが封入されている。
【００１１】
【発明が解決しようとする課題】
このような従来のパネルでは、表示領域部１３の近傍の非表示領域２０で、電圧印加される表示領域の影響と電極引出し部の影響を受け、制御できない偶発的な誤放電が発生し、表示領域部１３よりはみ出した蛍光体１９が僅かに発光したり、あるいは、封入ガスにネオンが含まれる場合は、極微量であるがオレンジ色のネオン発光が発生して表示領域部１３に漏れる問題がある。
【００１２】
また、データ電極駆動回路１１と接続されないデータ電極端子群が露出されていれば、電極材料にＡｇなどのマイグレーション性の高い材料を用いると、絶縁、防湿性の高い樹脂１２をコートして気密封止する必要がある。
【００１３】
本発明は、表示領域部１３の近傍の非表示領域で発生する誤放電を低減して表示部での安定した放電を発生させることができるプラズマディスプレイパネルを提供することを目的とする。
【００１４】
さらに、非接続側のデータ電極端子群の樹脂封止をなくすことを目的とする。
【００１５】
【課題を解決するための手段】
本発明の請求項１記載のプラズマディスプレイパネルは、放電空間を挟んで対向配置した表面基板および背面基板と、前記表面基板上に形成された走査電極および維持電極と、前記走査電極および維持電極と直交するように且つ一方の端部が前記放電空間の内部に位置するように前記背面基板上に形成された複数のデータ電極からなるデータ電極群と、前記データ電極のもう一方の端部をパネルの上下方向の片側に引き出して形成したデータ電極端子群と、前記データ電極群および前記データ電極端子群の外周を取り囲むように前記背面基板上に形成したダミー電極と、前記データ電極群および前記ダミー電極を覆うように形成した下地誘電体層と、前記下地誘電体層上に形成した隔壁および蛍光体とを有することを特徴とする。
【００１６】
この構成によると、非表示領域で発生する偶発的な誤放電をダミー電極により抑制し、かつ、非接続側のデータ電極端子群がなくなるため、絶縁、防湿樹脂コートを省くことができる。
【００１７】
本発明の請求項２記載のプラズマディスプレイパネルは、請求項１において、前記ダミー電極が、所定電位に接続されていることを特徴とする。
【００１８】
【発明の実施の形態】
以下、本発明の実施の形態を図１〜図５に基づいて説明する。
本発明のパネルは、図１に示すようにデータ電極群の終端部を囲むようにダミー電極２１を形成した点が従来例と異なっている。図２はデータ電極群９Ａをデータ電極駆動回路１１と接続するためのデータ電極端子群が設けられていない、パネルの下側の図１におけるエリアＡの詳細を示す。
【００１９】
図１と図２に示すように、フリットシール２により表面基板３と背面基板４を封着し、背面基板４の上に形成された隔壁１７により放電空間１４が保たれ、その放電空間中には、ヘリウム、ネオン、アルゴンの少なくとも一種類の希ガスとキセノンとの混合ガスが封入されている。
【００２０】
ガラス等の透明材料である表面基板３の上には、走査電極５と維持電極６との電極群を平行配列し、それぞれの電極群はパネルの左右に引き出され、走査電極端子群５Ａと維持電極端子群６Ａを形成し、走査電極駆動回路７と維持電極駆動回路８に接続される。
【００２１】
前記背面基板４の上には、図３にも示すように前記走査電極５および維持電極６と直交してストライプ状のデータ電極９からなるデータ電極群９Ａが配列され、そのデータ電極群９Ａの一方は、この図１の場合、上側のデータ電極端子群１０Ａからデータ電極駆動回路１１に接続されている。もう一方の終端は、図４にも示すようにフリットシール２によりシールされている放電空間１４の内部に位置し、表示領域部１３の終端まで形成されている。
【００２２】
データ電極群９Ａの左右最外側にはダミー電極２１が形成されている。このダミー電極２１は図５に示すように背面基板４の上に形成され、何れの位置のダミー電極２１も下地誘電体層１８に覆われている。
【００２３】
詳しくは、ダミー電極２１の左端２１Ｌは、パネル上側のデータ電極端子群１０Ａの左端に引き出されており、データ電極群９Ａの左端のデータ電極９に近接して下方に延設され、さらに、図４に示すように前記データ電極９の他端に近接してデータ電極群９Ａの右端に向かって延設され、さらに、データ電極群９Ａの右端のデータ電極９に近接して上方に向かって延設されてデータ電極群９Ａの外周を取り囲む形状で、ダミー電極２１の右端２１Ｒは、パネル上側のデータ電極端子群１０Ａの右端に引き出されている。
【００２４】
図２に示すように、放電空間１４を挟んで対向配置した表面基板３および背面基板４の内、ガラス等の透明材料である前記表面基板３上には、誘電体層１５および保護膜層１６で覆われた対を成すストライプ状の走査電極５と維持電極６との電極群を平行配列し、前記背面基板４上には、図３にも示すように、前記走査電極５群および維持電極６群と直交してストライプ状のデータ電極９群を隔離し、且つ前記放電空間１４を形成するようにストライプ状の隔壁１７が平行に配列されている。
【００２５】
また前記データ電極９は、下地誘電体層１８に覆われている。前記隔壁１７群で仕切られた上には、蛍光体１９が形成される。また、前記表面基板３と前記背面基板４は、フリットシール２により接合され、封止されている。前記背面基板４上に形成された前記ダミー電極２１は、図１に示したように画面の下部を囲むように形成されている。
【００２６】
なお、本発明のパネル１についての発光表示動作は、前述の従来のパネルと同様に行う。
本実施の形態では、非表示領域２０にダミー電極２１が付設されているため、走査電極５や維持電極６に走査パルス電圧Ｖｓｃや維持パルス電圧Ｖｓが交互に印加される際、非表示領域２０でも極まれに放電が発生するが、対向する背面基板４上にダミー電極２１が存在すると抑制される。さらに、そのダミー電極２１に所定電位、例えば直流グランド電位に固定されれば、さらに抑制効果が大きい。
【００２７】
なお、本発明の形態のプラズマディスプレイパネルにおいては、非接続側のデータ電極端子群１０Ｂがないため、その部分に余分な絶縁や防湿のための樹脂コートが不要となり、材料や工程の削減が可能となる。
【００２８】
上記の実施の形態のダミー電極２１は、データ電極群９Ａの右端のデータ電極９とデータ電極９の他端およびデータ電極群９Ａの左端のデータ電極９に近接した形状であったが、前記データ電極９の他端とデータ電極群９Ａの右端とデータ電極群９Ａの左端のデータ電極９とのうちの少なくとも一部に近接してデータ入力されないダミー電極２１を形成することによって、非表示領域２０での放電の発生を従来に比べて低減することができる。
【００２９】
【発明の効果】
以上のように本発明によれば、放電空間を挟んで対向配置した表面基板および背面基板と、前記表面基板上に形成された走査電極および維持電極と、前記走査電極および維持電極と直交するように且つ一方の端部が前記放電空間の内部に位置するように前記背面基板上に形成された複数のデータ電極からなるデータ電極群と、前記データ電極のもう一方の端部をパネルの上下方向の片側に引き出して形成したデータ電極端子群と、前記データ電極群および前記データ電極端子群の外周を取り囲むように前記背面基板上に形成したダミー電極と、前記データ電極群および前記ダミー電極を覆うように形成した下地誘電体層と、前記下地誘電体層上に形成した隔壁および蛍光体とを有するものであり、偶発的に発生する非表示領域での誤放電を抑制することができ、かつ、表示品位の良いプラズマディスプレイパネルを提供することができる。
【図面の簡単な説明】
【図１】  本発明のＡＣ型プラズマディスプレイパネルの平面図
【図２】  図１のエリアＡの詳細を示す斜視図
【図３】  図２のＸ−Ｘ′線に沿う断面図
【図４】  同実施の形態の背面基板４の側の前記エリアＡの平面図
【図５】  図２のＹ−Ｙ′線に沿う断面図
【図６】  従来のＡＣ型プラズマディスプレイパネルの平面図
【図７】  図６のエリアＢの詳細を示す斜視図
【図８】  図７のＸ−Ｘ′線に沿う断面図
【図９】  同従来例の背面基板４の側の前記エリアＢの平面図
【符号の説明】
２    フリットシール
３    表面基板
４    背面基板
５    走査電極
５Ａ    走査電極端子群
６    維持電極
６Ａ    維持電極端子群
７    走査電極駆動回路
８    維持電極駆動回路
９    データ電極
９Ａ    データ電極群
１０Ａ    データ電極端子群
１１    データ電極駆動回路
１３    パネルの表示領域部
１４    放電空間
１５    誘電体層
１６    保護膜層
１７    隔壁
１８    下地誘電体層
１９    蛍光体
２０    非表示領域
２１    ダミー電極
２１Ｌ    ダミー電極２１の左端
２１Ｒ    ダミー電極２１の右端
【図１】
0004118076.tif 000002
【図２】
0004118076.tif 000003
【図３】
0004118076.tif 000004
【図４】
0004118076.tif 000005
【図５】
0004118076.tif 000006
【図６】
0004118076.tif 000007
【図７】
0004118076.tif 000008
【図８】
0004118076.tif 000009
【図９】
0004118076.tif 000010